(57)【特許請求の範囲】
【請求項１】
スパウト付きパウチを吊り下げるフックであって、
前記スパウト付きパウチのスパウト部を出し入れ可能な第１開口部と、
前記第１開口部に連続して形成され、前記スパウト部を保持する第２開口部と、
前記第２開口部の前記第１開口部側とは反対側に、前記第２開口部側へ向かって延びるように形成され、前記第２開口部側の端部が可動自在な爪部と、
を備え、
前記第１開口部と前記第２開口部とが連接される方向に直交する方向において、
前記第２開口部の幅は、前記スパウト部の被保持部分となる管部の幅と略等しく、
前記爪部の幅は、前記第２開口部の幅よりも大きいこと、
を特徴とするフック。
【請求項２】
請求項１に記載のフックにおいて、
前記第１開口部と前記第２開口部とが連接される方向に直交する方向における前記第１開口部の幅は、前記第２開口部の幅よりも大きいこと、
を特徴とするフック。
【請求項３】
請求項１又は請求項２に記載のフックにおいて、
取り付け対象物に取り付けるための取り付け部を有すること、
を特徴とするフック。
【請求項４】
請求項１から請求項３までのいずれか１項に記載のフックにおいて、
該フックは、複数連結されていること、
を特徴とするフック。
【請求項５】
請求項１から請求項４までのいずれか１項に記載のフックにおいて、
該フックは、シート状であること、
を特徴とするフック。
【発明の詳細な説明】
【技術分野】
【０００１】
本発明は、飲料等が封入されたスパウト付きパウチを陳列するためのフックに関するものである。
【背景技術】
【０００２】
従来、収納容器等に入った商品を陳列するためのフックとして、様々なものが開発されている（例えば、特許文献１）。
近年、飲料等を収納する容器としてスパウト付きパウチが広く用いられている。このスパウト付きパウチをフックに吊り下げる場合、スパウト付きパウチにはフックのバー部分を挿入する貫通孔や、フックに吊り下げるためのハンガー部等を有していないため、そのような貫通孔やハンガー部が形成された別部材をスパウト付きパウチに接着したり、貫通孔やハンガー部を有する袋等にスパウト付きパウチを封入しなければならず、コストの増加や、陳列作業に手間がかかる等の問題があった。
【特許文献１】特公平７−９３９０４号公報
【発明の開示】
【発明が解決しようとする課題】
【０００３】
本発明の課題は、スパウト付きパウチを容易に吊り下げ及び取り外しできるフックを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、スパウト付きパウチ（２０）を吊り下げるフックであって、前記スパウト付きパウチのスパウト部（２２）を出し入れ可能な第１開口部（１１）と、前記第１開口部に連続して形成され、前記スパウト部を保持する第２開口部（１２）と、前記第２開口部の前記第１開口部側とは反対側に、前記第２開口部側へ向かって延びるように形成され、前記第２開口部側の端部が可動自在な爪部（１３）と、を備え、前記第１開口部と前記第２開口部とが連接される方向に直交する方向において、前記第２開口部の幅（Ｗ１）は、前記スパウト部の被保持部分となる管部の幅（Ｗ２）と略等しく、前記爪部の幅（Ｗ３）は、前記第２開口部の幅よりも大きいこと、を特徴とするフック（１０）である。
請求項２の発明は、請求項１に記載のフックにおいて、前記第１開口部と前記第２開口部とが連接される方向に直交する方向における前記第１開口部（１１）の幅は、前記第２開口部（１２）の幅（Ｗ１）よりも大きいこと、を特徴とするフック（１０）である。
請求項３の発明は、請求項１又は請求項２に記載のフックにおいて、取り付け対象物（２０）に取り付けるための取り付け部（１７）を有すること、を特徴とするフック（１０）である。
請求項４の発明は、請求項１から請求項３までのいずれか１項に記載のフックにおいて、該フックは、複数連結されていること、を特徴とするフックである。
請求項５の発明は、請求項１から請求項４までのいずれか１項に記載のフックにおいて、該フックは、シート状であること、を特徴とするフック（１０）である。
【発明の効果】
【０００５】
本発明によれば、以下の効果を奏することができる。
（１）本発明によるフックは、スパウト部を出し入れ可能な第１開口部と、スパウト部を保持する第２開口部と、第２開口部側の端部が可動自在な爪部とを備えている。これにより、スパウト付きパウチを吊り下げる作業が容易に行える。また、スパウト付きパウチをフックから取り外す作業を行う際には、爪部の第２開口部側の端部が、スパウト部を第１開口部側へ押し出すので、取り外し作業をより容易に行うことができる。
【０００６】
（２）取り付け対象物に取り付けるための取り付け部を有するので、販促用の展示物や棚等に取り付けて使用することができる。
【０００７】
（３）フックは、複数連結されているので、複数のスパウト付きパウチを配列して陳列できる。
【０００８】
（４）フックは、シート状であるので、製造が容易である。また、収納スペース等を省くことができ、保管等が行いやすい。
【発明を実施するための最良の形態】
【０００９】
以下、図面等を参照して、本発明の実施形態を挙げて、さらに詳しく説明する。
（実施形態）
図１は、本実施形態のフック１０と、スパウト付きパウチ２０とを示す図である。図１（ａ）は、本実施形態のフック１０の平面図であり、図１（ｂ）は、スパウト付きパウチ２０を正面から見た図である。なお、図１（ａ）では、フック１０の横方向をｘ軸方向とし、縦方向（第１開口部１１，第２開口部１２，爪部１３が形成されている方向）をｙ軸方向とする。
図２は、本実施形態のフック１０がスパウト付きパウチ２０を吊り下げている状態を示す図である。
本実施形態のフック１０は、図２に示すように、スパウト付きパウチ２０を吊り下げるフックである。
【００１０】
スパウト付きパウチ２０は、飲料や調味料、化粧品、液体洗剤等を収納する容器であり、図１（ｂ）に示すように、袋本体部２１とスパウト部２２とを有する。本実施形態のスパウト付きパウチ２０は、飲料を収納している。
袋本体部２１は、アルミニウムや合成樹脂等を用いて形成された可撓性を有する袋状の部分である。袋本体部２１の上部に抽出口となるスパウト部２２が設けられている。
スパウト部２２は、管部２３と、管部２３に形成されたフランジ部２４，２５と、管部２３とは別体であって管部２３に着脱可能なキャップ２６とを備えている。管部２３は、その先端部分に不図示のネジ部が形成され、キャップ２６の内径側に形成された不図示のネジ部と螺合している。本実施形態の管部２３は、袋本体部２１の外部に表出している部分のうち、キャップ２６と螺合する部分以外の部分は、断面の外形が略矩形である。
【００１１】
本実施形態のフック１０は、図１（ａ）に示すように、略矩形状であり、第１開口部１１、第２開口部１２、爪部１３、取り付け部１７等を備えている。理解を容易にするために、このフック１０のうち、取り付け部１７以外の部分、すなわち、折り線１６に対して第１開口部１１、第２開口部１２、爪部１３等が形成されている部分をフック部１５と呼ぶ。
このフック１０は、合成樹脂等を用いて形成された略シート状の部材である。本実施形態のフック１０は、その厚さが０．３ｍｍ程度であり、ＰＥＴ（ポリエチレンテレフタレート）樹脂を用いて形成されている。なお、本実施形態では、フック１０の材料としてＰＥＴを用いる例を示したが、これに限らず、例えば、ＡＰ（不飽和ポリエステル）樹脂等により形成してもよい。
第１開口部１１は、フック部１５の略中央に形成され、スパウト付きパウチ２０のスパウト部２２を容易に出し入れできる大きさを有している。本実施形態の第１開口部１１は、図１（ａ）示すように、略円形状としたが、スパウト部２２を容易に出し入れできる大きさであれば、その形状は矩形等でもよく、特に限定しない。
【００１２】
第２開口部１２は、第１開口部１１の取り付け部１７とは反対側に、第１開口部１１に連続して形成される開口部である。第２開口部１２は、スパウト付きパウチ２０のスパウト部２２を保持する機能を有する。本実施形態の第２開口部１２は、略矩形状であり、その幅（図１（ａ）に示すｘ軸方向の寸法）Ｗ１は、スパウト付きパウチ２０の管部２３の幅（スパウト付きパウチ２０を正面から見たときの管部２３の横方向の寸法）Ｗ２に略等しい。
爪部１３は、第２開口部１２の第１開口部１１側とは反対側に、切り込み１４によって、第２開口部１２側へ向かって延びるように形成されている。爪部１３の第２開口部１２側の端部１３ａは、フック１０の表面の法線方向に（すなわち、フック１０に対して外側方向へ）可動自在であり、第２開口部１２とは反対側の端部は、フック１０（フック部１５）と連続している。本実施形態の爪部１３の幅Ｗ３は、第２開口部１２の幅Ｗ１より大きい。
【００１３】
取り付け部１７は、フック１０を取り付ける対象物、例えば、販促用のパネル等にフックを取り付けるための部分である。本実施形態の取り付け部１７は、折り線１６を挟んでフック部１５とは反対側に形成された略矩形状の部分である。
本実施形態のフック１０は、ＰＥＴ樹脂のシートを型によって型抜きすることにより形成されている。
【００１４】
以下、本実施形態のフック１０の使用方法について説明する。
（フックの取り付け方法）
図３は、本実施形態のフック１０を取り付け対象物へ取り付ける様子を示す図である。
図３（ａ）は、取り付け対象物の一例である販促用パネル３０の正面から見た様子を示す図であり、図３（ｂ）は、販促用パネル３０の一部を拡大した図であり、図３（ｃ）は、取り付け部１７の固定方法を示す図である。
販促用パネル３０は、フック１０が取り付けられる取り付け対象物である。本実施形態の販促用パネル３０は、略平板状であり、裏面側に不図示の支持部を有し、この支持部によって自立可能となっている。なお、販促用パネル３０の表面には、宣伝や広告、意匠性の向上等のための文字や絵柄等を印刷等により設けてもよく、本実施形態では、宣伝のために、樹木の絵が印刷等により設けられている。
なお、本実施形態では、販促用パネル３０が略平板状である例を示したが、これに限らず、例えば、略円筒状等の立体形状とし、宣伝や広告効果の向上を図ってもよい。
この販促用パネル３０は、図３（ａ）に示すように、フックを取り付けるための取り付け孔３１が設けられている。
【００１５】
取り付け孔３１は、フック１０の取り付け部１７を挿入可能な孔である。図３（ｂ）に示すように、本実施形態の取り付け孔３１は、略矩形状である。
使用者は、フック１０の取り付け部１７を販促用パネル３０の取り付け孔３１に挿入（図３（ｂ）参照）した後に、折り線１６に沿ってフック１０を折り、不図示の両面テープや接着テープ等により、取り付け部１７を販促用パネル３０の裏面側に接合する（図３（ｃ）参照）。これにより、フック１０は、販促用パネル３０に取り付けられる。
【００１６】
（スパウト付きパウチ吊り下げ方法）
フック１０を販促用パネル３０に取り付けた後に、フックにスパウト付きパウチ２０を取り付ける場合を例に挙げて説明する。
図４は、本実施形態のフック１０にスパウト付きパウチ２０を吊り下げる様子を示す図である。なお、図４及び以下に示す図５では、理解を容易にするために、販促用パネル３０については取り付け孔３１のみを示す。
使用者は、フック１０の下方から、第１開口部１１へスパウト付きパウチ２０のスパウト部２２を挿入する（図４（ａ）参照）。
次に、使用者は、スパウト付きパウチ２０を第２開口部１２側へ移動させ、第２開口部１２と管部２３とを嵌合させる（図４（ｂ）参照）。このとき、第２開口部１２は、スパウト部２２のキャップ２６とフランジ部２５との間（本実施形態では、フランジ部２４とフランジ部２５との間）の管部２３と嵌合し、スパウト部２２を保持している。
スパウト部２２が第２開口部１２の爪部１３側へ進むと、フランジ部２４により、第２開口部１２の幅方向の両端部にスパウト付きパウチ２０の自重がかかり、第２開口部１２の幅方向の両端部が下方に若干押し下げられ、爪部１３の第２開口部１２側の端部１３ａが管部２３に沿って上方へ押し上げられる（図４（ｂ）参照）。
これらの動作により、スパウト付きパウチ２０は、図２及び図４（ｃ）に示されるような状態でフック１０によって吊り下げられる。
【００１７】
（スパウト付きパウチ取り外し方法）
図５は、本実施形態のフック１０からスパウト付きパウチ２０を取り外す様子を示す図である。
使用者は、スパウト付きパウチ２０を掴んで、下方へ引っ張る。すると、フランジ部２４により第２開口部１２の両端部がさらに押し下げられ、爪部１３の立ち上がりが大きくなるので、爪部１３の端部１３ａが下方に動こうとする（元の状態に戻ろうとする）力が大きくなる。この力により、爪部１３は、スパウト部２２を第２開口部１２から第１開口部１１側へ押し出す。
スパウト部２２は、第１開口部１１側へ移動し、第１開口部１１を通って図５（ａ）に示す矢印Ａ方向へ移動し、フック１０から取り外される（図５（ｂ）参照）。これらの動作により、スパウト付きパウチ２０がフック１０から取り外される。
【００１８】
上述のように、本実施形態によれば、従来のフックに吊り下げるためのハンガーや挿入孔等が形成された別体の袋等の部材を使用することなく、スパウト付きパウチ２０をフック１０に容易に吊り下げることができ、かつ、容易に取り外すことができる。従って、コストを抑えることができ、また、商品の補充等も容易に行うことができる。
また、フック１０からスパウト付きパウチ２０を取り外す際には、爪部１３が発生する力により、フック１０にかかる力が低減される。従って、取り外し動作をさらに容易に行うことができ、また、フック１０の破損も防止できる。
さらに、ネジ等の金具を用いることなく、フック１０を取り付け対象物に取り付けることが可能であり、作業が容易である。
さらにまた、フック１０は、シート状の部材であるので、型抜き等により容易に作製でき、保管等の際にもかさ張らない。
【００１９】
その上、フック１０は、樹脂により形成されているので、紙に比べて弾性があり、スパウト付きパウチ２０の吊り下げ、取り外しを複数回繰り返した場合にも、破損し難い。
加えて、例えば、本実施形態のように販促用パネル３０に樹木の絵等を印刷し、果汁入り飲料等が封入されたスパウト付きパウチ２０をフック１０を用いて吊り下げた場合には、購入者等は、果実をもぎ取るようにスパウト付きパウチ２０を取り外すことができるので、訴求効果を高めることができる。
【００２０】
（変形形態）
以上説明した実施形態に限定されることなく、種々の変形や変更が可能であって、それらも本発明の範囲内である。
（１）本実施形態では、不図示の接着テープ等を用いて取り付け部１７を販促用パネル３０に取り付ける例を示したが、これに限らず、例えば、予めフック１０の取り付け部１７に両面テープや接着剤層等が設けられている形態とし、作業性を高めてもよい。
また、取り付け部１７にネジ止め用の孔を形成する等して、ネジ止めによってフック１０を取り付け対象物に取り付けてもよい。
【００２１】
（２）本実施形態では、フック１０は、それ１つが単独で用いられる例を示したが、これに限らず、例えば、フック１０が複数繋がった形態としてもよい。
図６は、フックの変形形態を示す図である。図６において、実施形態のフック１０と同一の機能を有する部分には、同一の符号を付して説明する。
図６（ａ）に示すように、フック部１５は個別に独立しており、取り付け部１７によって個々のフック部１５が連結されている形態のフック５０としてもよい。
また、図６（ｂ）に示すように、フック部１５が、縦方向に連結しているフック６０としてもよいし、図示しないが横方向に連結している形態のフックとしてもよい。
さらに、図６（ｃ）に示すように、フック部１５が、縦方向及び横方向（２次元方向）に連結している形態のフック７０としてもよい。
取り付け対象物の形状や所望する配列方法等に合わせて、上述のような形態のフックを選択して用いてよい。
【００２２】
（３）本実施形態では、フック１０はシート状の部材である例を示したが、取り付け部１７を取り付け対象物の形状等に合わせて、射出成形等により形成してもよい。
【００２３】
（４）本実施形態では、フック１０を取り付ける対象物として販促用パネル３０を示したが、これに限らず、例えば、棚やワイヤーネット、バー等に取り付けてもよい。
なお、本実施形態及び変形形態は、適宜組み合わせて用いることもできるが、詳細な説明は省略する。また、本発明は以上説明した各実施形態によって限定されることはない。
【図面の簡単な説明】
【００２４】
【図１】本実施形態のフック１０と、スパウト付きパウチ２０とを示す平面図である。
【図２】本実施形態のフック１０がスパウト付きパウチ２０を吊り下げている状態を示す図である。
【図３】本実施形態のフック１０を取り付け対象物へ取り付ける様子を示す図である。
【図４】本実施形態のフック１０にスパウト付きパウチ２０を吊り下げる様子を示す図である。
【図５】本実施形態のフック１０からスパウト付きパウチ２０を取り外す様子を示す図である。
【図６】フックの変形形態を示す図である。
【符号の説明】
【００２５】
１０    フック
１１    第１開口部
１２    第２開口部
１３    爪部
１７    取り付け部
２０    スパウト付きパウチ
２２    スパウト部
３０    販促用パネル
【図１】
0005239344.tif 000002
【図２】
0005239344.tif 000003
【図３】
0005239344.tif 000004
【図４】
0005239344.tif 000005
【図５】
0005239344.tif 000006
【図６】
0005239344.tif 000007